(57)【要約】      （修正有）【課題】管理が容易で、保存場所を簡易かつ迅速に特定することができる標本管理システムによる管理に適した標本を提供する。【解決手段】標本管理システム１０は、標本情報ＳＩを入力可能な標本情報入力部１２と、入力された標本情報ＳＩを記憶可能な標本情報記憶部１４と、記憶された標本情報ＳＩの少なくとも一部を標本データＳＤとして出力可能な標本データ出力部１６と、出力された標本データＳＤが付与される標本ＳＰを保管する保管部１８と、標本ＳＰに付与された標本データＳＤと保管部１８に付与された識別番号ＩＤとを取得して外部に送信可能な送信部２０と、これらを受信し、標本情報ＳＩと識別番号ＩＤを関連付けして標本情報記憶部１４に記録する保管場所記録部２２と、標本情報ＳＩに基づいて保管部１８の識別番号ＩＤを検索し、標本ＳＰが保管されている保管部１８を特定する保管場所特定部２４と、を有して構成されている。【選択図】図１
2011099855.tif 000002
【特許請求の範囲】
【請求項１】
患者から採取された生標本を固定して得られた固定標本から作製されたパラフィンブロックと、
前記生標本に関する情報であって少なくとも前記患者の疾病情報および個人情報を含む標本情報の一部又は全部と前記生標本に割り当てられた標本番号とを含む標本データが付与された標本データ付与部と、
を有することを特徴とする、標本。
【請求項２】
患者から採取された生標本を固定して得られた固定標本から得られたパラフィンブロックから作製された光学顕微鏡標本と、
前記生標本に関する情報であって少なくとも前記患者の疾病情報および個人情報を含む標本情報の一部又は全部と前記生標本に割り当てられた標本番号とを含む標本データが付与された標本データ付与部と、
を有することを特徴とする、標本。
【請求項３】
患者から採取された生標本を固定して得られた固定標本から作製された電子顕微鏡用ブロックと、
前記生標本に関する情報であって少なくとも前記患者の疾病情報および個人情報を含む標本情報の一部又は全部と前記生標本に割り当てられた標本番号とを含む標本データが付与された標本データ付与部と、
を有することを特徴とする、標本。
【請求項４】
パラフィンブロック、光学顕微鏡標本又は電子顕微鏡用ブロックを作製する際に患者から採取された生標本から作製された新鮮凍結生標本と、
前記生標本に関する情報であって少なくとも前記患者の疾病情報および個人情報を含む標本情報の一部又は全部と前記生標本に割り当てられた標本番号とを含む標本データが付与された標本データ付与部と、
を有することを特徴とする、標本。
【請求項５】
前記標本データ付与部は、１次元バーコードラベル、２次元バーコードラベル、またはＩＣタグであることを特徴とする、
請求項１ないし４のいずれか１項に記載の標本。
【請求項６】
前記標本データ付与部は、ＩＣタグであり、電子顕微鏡用ブロックの樹脂中に封入されていることを特徴とする、
請求項３に記載の標本。
【請求項７】
前記生標本は、脳標本であることを特徴とする、
請求項１ないし６のいずれか１項に記載の標本。
【請求項８】
前記標本に関する情報であって少なくとも前記標本が採取された患者の疾病情報および個人情報を含む標本情報を入力する標本情報入力部と、
前記標本に標本番号を割り当てる標本番号割当部と、
前記標本情報入力部により入力された標本情報の一部又は全部と前記標本番号割当部により割り当てられた標本番号とを含む標本データを出力する標本データ出力部と、
を有する標本管理システムにおいて使用されることを特徴とする、
請求項１ないし７のいずれか１項に記載の標本。
【請求項９】
前記標本管理システムは、
前記標本情報入力部により入力された標本情報および前記標本番号割当部により割り当てた標本番号を記憶する標本情報記憶部と、
前記標本情報記憶部により記憶された標本情報に基づいて前記標本番号を検索し、前記標本を特定する標本特定部と、
をさらに有することを特徴とする、請求項８に記載の標本。
【請求項１０】
前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、
請求項９に記載の標本。
【請求項１１】
前記標本特定部は、予め設定されたパスワードの入力があった場合に病理診断を目的とする検索であると判断することを特徴とする、
請求項１０に記載の標本。
【請求項１２】
前記標本管理システムは、
前記標本データ出力部により出力された標本データを付与した標本を保管する保管部と、
前記標本に付与された標本データと前記保管部に付与された識別番号とを取得して外部に送信する送信部と、
前記送信部により送信された標本データおよび識別番号を受信し、前記標本情報と前記識別番号を関連付けして前記標本情報記憶部に記録する保管場所記録部と、
前記標本情報記憶部により記憶された標本情報に基づいて前記保管部の識別番号を検索し、前記標本が保管されている保管部を特定する保管場所特定部と、
をさらに有することを特徴とする、請求項９ないし１１のいずれか１項に記載の標本。
【請求項１３】
前記送信部は、前記標本データおよび前記識別番号を無線通信で前記保管場所記録部に送信することを特徴とする、
請求項１２に記載の標本。
【請求項１４】
前記標本データは、１次元バーコードデータ、２次元バーコードデータ、または、ＩＣタグに記録された電子データであることを特徴とする、
請求項８ないし１３のいずれか１項に記載の標本。
【請求項１５】
前記標本情報は、標本を採取した部位の情報、標本の染色体の種類の情報または解剖時の器官の断片画像データをさらに含むことを特徴とする、
請求項８ないし１４のいずれか１項に記載の標本。
【請求項１６】
患者から採取された生標本を固定して固定標本を作製する手順と、
前記固定標本からパラフィンブロックを作製する手順と、
前記生標本に関する情報であって少なくとも前記患者の疾病情報および個人情報を含む標本情報の一部又は全部と前記生標本に割り当てられた標本番号とを含む標本データを前記パラフィンブロックに付与する手順と、
を有することを特徴とする、標本作製方法。
【請求項１７】
前記パラフィンブロックから光学顕微鏡標本を作製する手順と、
前記標本データを前記光学顕微鏡標本に付与する手順と、
をさらに有することを特徴とする、請求項１６に記載の標本作製方法。
【請求項１８】
患者から採取された生標本を固定して固定標本を作製する手順と、
前記固定標本から電子顕微鏡用ブロックを作製する手順と、
前記生標本に関する情報であって少なくとも前記患者の疾病情報および個人情報を含む標本情報の一部又は全部と前記生標本に割り当てられた標本番号とを含む標本データを前記電子顕微鏡用ブロックに付与する手順と、
を有することを特徴とする、標本作製方法。
【請求項１９】
前記生標本から新鮮凍結生標本を作製する手順と、
前記標本データを前記新鮮凍結生標本に付与する手順と、
をさらに有することを特徴とする、請求項１６ないし１８のいずれか１項に記載の標本作製方法。
【請求項２０】
前記生標本は、脳標本であることを特徴とする、
請求項１６ないし１９のいずれか１項に記載の標本作製方法。
【請求項２１】
前記標本は、
前記標本に関する情報であって少なくとも前記標本が採取された患者の疾病情報および個人情報を含む標本情報を入力する標本情報入力部と、
前記標本に標本番号を割り当てる標本番号割当部と、
前記標本情報入力部により入力された標本情報の一部又は全部と前記標本番号割当部により割り当てられた標本番号とを含む標本データを出力する標本データ出力部と、
を有する標本管理システムにおいて使用されることを特徴とする、
請求項１６ないし２０のいずれか１項に記載の標本作製方法。
【請求項２２】
前記標本管理システムは、
前記標本情報入力部により入力された標本情報および前記標本番号割当部により割り当てた標本番号を記憶する標本情報記憶部と、
前記標本情報記憶部により記憶された標本情報に基づいて前記標本番号を検索し、前記標本を特定する標本特定部と、
をさらに有することを特徴とする、請求項２１に記載の標本作製方法。
【請求項２３】
前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、
請求項２２に記載の標本作製方法。
【請求項２４】
前記標本特定部は、予め設定されたパスワードの入力があった場合に病理診断を目的とする検索であると判断することを特徴とする、
請求項２３に記載の標本作製方法。
【請求項２５】
前記標本管理システムは、
前記標本データ出力部により出力された標本データを付与した標本を保管する保管部と、
前記標本に付与された標本データと前記保管部に付与された識別番号とを取得して外部に送信する送信部と、
前記送信部により送信された標本データおよび識別番号を受信し、前記標本情報と前記識別番号を関連付けして前記標本情報記憶部に記録する保管場所記録部と、
前記標本情報記憶部により記憶された標本情報に基づいて前記保管部の識別番号を検索し、前記標本が保管されている保管部を特定する保管場所特定部と、
をさらに有することを特徴とする、請求項２１ないし２４のいずれか１項に記載の標本作製方法。
【請求項２６】
前記送信部は、前記標本データおよび前記識別番号を無線通信で前記保管場所記録部に送信することを特徴とする、
請求項２５に記載の標本作製方法。
【請求項２７】
前記標本データは、１次元バーコードデータ、２次元バーコードデータ、または、ＩＣタグに記録された電子データであることを特徴とする、
請求項２１ないし２６のいずれか１項に記載の標本作製方法。
【請求項２８】
前記標本情報は、標本を採取した部位の情報、標本の染色体の種類の情報または解剖時の器官の断片画像データをさらに含むことを特徴とする、
請求項２１ないし２７のいずれか１項に記載の標本作製方法。
【発明の詳細な説明】
【技術分野】
【０００１】
本発明は、標本管理システムによる管理に適した標本および標本の作製方法に関する。
【背景技術】
【０００２】
従来、研究施設や病院等においては、研究や病理診断の材料として多種多様な標本を収集し、管理を行っている。このような研究や病理診断等に用いられる標本は、日々の収集により種類や数が著しく増大するため、標本に関する情報を記載した標本ラベル等を用いて標本を管理する方法が提案されている（例えば、特許文献１参照）。
【特許文献１】特開２０００−２２１１９９号公報
【発明の開示】
【発明が解決しようとする課題】
【０００３】
しかしながら、このような従来の管理方法では、数万から数百万種類にも及ぶ膨大な数の標本の管理には限界があり、特に、脳標本は、標本の数が他の種類の標本に比べて多くなる傾向があるため、標本の管理が極めて困難であるといった問題点があった。
【０００４】
また、従来の管理方法では、標本の保管場所を迅速に特定することができず、研究や病理診断において所望の標本の出し入れに多大な時間を要してしまうといった問題があった。そのため、例えば、脳標本を凍結生標本として収集した場合、保管場所からの出し入れの際に凍結生標本が解凍され、タンパク質やメッセンジャーＲＮＡの収量が悪化してしまうケースも考えられ、標本としての価値が著しく低下してしまうおそれもあった。
【０００５】
本発明は、このような問題点を解決するためになされたものであって、管理が容易で、保存場所を簡易かつ迅速に特定することができる、標本管理システムによる管理に適した標本を提供することを目的とする。
【課題を解決するための手段】
【０００６】
上記課題は、下記の本発明に係る標本および標本の作製方法により解決される。
【０００７】
（１）すなわち、本発明は、患者から採取された生標本を固定して得られた固定標本から作製されたパラフィンブロックと、前記生標本に関する情報であって少なくとも前記患者の疾病情報および個人情報を含む標本情報の一部又は全部と前記生標本に割り当てられた標本番号とを含む標本データが付与された標本データ付与部と、を有することを特徴とする、標本である。
【０００８】
（２）本発明はまた、患者から採取された生標本を固定して得られた固定標本から得られたパラフィンブロックから作製された光学顕微鏡標本と、前記生標本に関する情報であって少なくとも前記患者の疾病情報および個人情報を含む標本情報の一部又は全部と前記生標本に割り当てられた標本番号とを含む標本データが付与された標本データ付与部と、を有することを特徴とする、標本である。
【０００９】
（３）本発明はまた、患者から採取された生標本を固定して得られた固定標本から作製された電子顕微鏡用ブロックと、前記生標本に関する情報であって少なくとも前記患者の疾病情報および個人情報を含む標本情報の一部又は全部と前記生標本に割り当てられた標本番号とを含む標本データが付与された標本データ付与部と、を有することを特徴とする、標本である。
【００１０】
（４）本発明はまた、パラフィンブロック、光学顕微鏡標本又は電子顕微鏡用ブロックを作製する際に患者から採取された生標本から作製された新鮮凍結生標本と、前記生標本に関する情報であって少なくとも前記患者の疾病情報および個人情報を含む標本情報の一部又は全部と前記生標本に割り当てられた標本番号とを含む標本データが付与された標本データ付与部と、を有することを特徴とする、標本である。
【００１１】
（５）本発明はまた、前記標本データ付与部は、１次元バーコードラベル、２次元バーコードラベル、またはＩＣタグであることを特徴とする、（１）ないし（４）のいずれか１項に記載の標本である。
【００１２】
（６）本発明はまた、前記標本データ付与部は、ＩＣタグであり、電子顕微鏡用ブロックの樹脂中に封入されていることを特徴とする、（３）に記載の標本である。
【００１３】
（７）本発明はまた、前記生標本は、脳標本であることを特徴とする、（１）ないし（６）のいずれか１項に記載の標本である。
【００１４】
（８）本発明はまた、前記標本に関する情報であって少なくとも前記標本が採取された患者の疾病情報および個人情報を含む標本情報を入力する標本情報入力部と、前記標本に標本番号を割り当てる標本番号割当部と、前記標本情報入力部により入力された標本情報の一部又は全部と前記標本番号割当部により割り当てられた標本番号とを含む標本データを出力する標本データ出力部と、を有する標本管理システムにおいて使用されることを特徴とする、（１）ないし（７）のいずれか１項に記載の標本である。
【００１５】
（９）本発明はまた、前記標本管理システムは、前記標本情報入力部により入力された標本情報および前記標本番号割当部により割り当てた標本番号を記憶する標本情報記憶部と、前記標本情報記憶部により記憶された標本情報に基づいて前記標本番号を検索し、前記標本を特定する標本特定部と、をさらに有することを特徴とする、（８）に記載の標本である。
【００１６】
（１０）本発明はまた、前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、（９）に記載の標本である。
【００１７】
（１１）本発明はまた、前記標本特定部は、予め設定されたパスワードの入力があった場合に病理診断を目的とする検索であると判断することを特徴とする、（１０）に記載の標本である。
【００１８】
（１２）本発明はまた、前記標本管理システムは、前記標本データ出力部により出力された標本データを付与した標本を保管する保管部と、前記標本に付与された標本データと前記保管部に付与された識別番号とを取得して外部に送信する送信部と、前記送信部により送信された標本データおよび識別番号を受信し、前記標本情報と前記識別番号を関連付けして前記標本情報記憶部に記録する保管場所記録部と、前記標本情報記憶部により記憶された標本情報に基づいて前記保管部の識別番号を検索し、前記標本が保管されている保管部を特定する保管場所特定部と、をさらに有することを特徴とする、（９）ないし（１１）のいずれか１項に記載の標本である。
【００１９】
（１３）本発明はまた、前記送信部は、前記標本データおよび前記識別番号を無線通信で前記保管場所記録部に送信することを特徴とする、（１２）に記載の標本である。
【００２０】
（１４）本発明はまた、前記標本データは、１次元バーコードデータ、２次元バーコードデータ、または、ＩＣタグに記録された電子データであることを特徴とする、（８）ないし（１３）のいずれか１項に記載の標本である。
【００２１】
（１５）本発明はまた、前記標本情報は、標本を採取した部位の情報、標本の染色体の種類の情報または解剖時の器官の断片画像データをさらに含むことを特徴とする、（８）ないし（１４）のいずれか１項に記載の標本である。
【００２２】
（１６）本発明はまた、患者から採取された生標本を固定して固定標本を作製する手順と、前記固定標本からパラフィンブロックを作製する手順と、前記生標本に関する情報であって少なくとも前記患者の疾病情報および個人情報を含む標本情報の一部又は全部と前記生標本に割り当てられた標本番号とを含む標本データを前記パラフィンブロックに付与する手順と、を有することを特徴とする、標本作製方法である。
【００２３】
（１７）本発明はまた、前記パラフィンブロックから光学顕微鏡標本を作製する手順と、前記標本データを前記光学顕微鏡標本に付与する手順と、をさらに有することを特徴とする、（１６）に記載の標本作製方法である。
【００２４】
（１８）本発明はまた、患者から採取された生標本を固定して固定標本を作製する手順と、前記固定標本から電子顕微鏡用ブロックを作製する手順と、前記生標本に関する情報であって少なくとも前記患者の疾病情報および個人情報を含む標本情報の一部又は全部と前記生標本に割り当てられた標本番号とを含む標本データを前記電子顕微鏡用ブロックに付与する手順と、を有することを特徴とする、標本作製方法である。
【００２５】
（１９）本発明はまた、前記生標本から新鮮凍結生標本を作製する手順と、
【００２６】
前記標本データを前記新鮮凍結生標本に付与する手順と、をさらに有することを特徴とする、（１６）ないし（１８）のいずれか１項に記載の標本作製方法である。
【００２７】
（２０）本発明はまた、前記生標本は、脳標本であることを特徴とする、
（１６）ないし（１９）のいずれか１項に記載の標本作製方法である。
【００２８】
（２１）本発明はまた、前記標本は、前記標本に関する情報であって少なくとも前記標本が採取された患者の疾病情報および個人情報を含む標本情報を入力する標本情報入力部と、前記標本に標本番号を割り当てる標本番号割当部と、前記標本情報入力部により入力された標本情報の一部又は全部と前記標本番号割当部により割り当てられた標本番号とを含む標本データを出力する標本データ出力部と、を有する標本管理システムにおいて使用されることを特徴とする、（１６）ないし（２０）のいずれか１項に記載の標本作製方法である。
【００２９】
（２２）本発明はまた、前記標本管理システムは、前記標本情報入力部により入力された標本情報および前記標本番号割当部により割り当てた標本番号を記憶する標本情報記憶部と、前記標本情報記憶部により記憶された標本情報に基づいて前記標本番号を検索し、前記標本を特定する標本特定部と、をさらに有することを特徴とする、（２１）に記載の標本作製方法である。
【００３０】
（２３）本発明はまた、前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、（２２）に記載の標本作製方法である。
【００３１】
（２４）本発明はまた、前記標本特定部は、予め設定されたパスワードの入力があった場合に病理診断を目的とする検索であると判断することを特徴とする、
（２３）に記載の標本作製方法である。
【００３２】
（２５）本発明はまた、前記標本管理システムは、前記標本データ出力部により出力された標本データを付与した標本を保管する保管部と、前記標本に付与された標本データと前記保管部に付与された識別番号とを取得して外部に送信する送信部と、前記送信部により送信された標本データおよび識別番号を受信し、前記標本情報と前記識別番号を関連付けして前記標本情報記憶部に記録する保管場所記録部と、前記標本情報記憶部により記憶された標本情報に基づいて前記保管部の識別番号を検索し、前記標本が保管されている保管部を特定する保管場所特定部と、をさらに有することを特徴とする、（２１）ないし（２４）のいずれか１項に記載の標本作製方法である。
【００３３】
（２６）本発明はまた、前記送信部は、前記標本データおよび前記識別番号を無線通信で前記保管場所記録部に送信することを特徴とする、（２５）に記載の標本作製方法である。
【００３４】
（２７）本発明はまた、前記標本データは、１次元バーコードデータ、２次元バーコードデータ、または、ＩＣタグに記録された電子データであることを特徴とする、（２１）ないし（２６）のいずれか１項に記載の標本作製方法である。
【００３５】
（２８）本発明はまた、前記標本情報は、標本を採取した部位の情報、標本の染色体の種類の情報または解剖時の器官の断片画像データをさらに含むことを特徴とする、（２１）ないし（２７）のいずれか１項に記載の標本作製方法である。
【発明の効果】
【００３６】
本発明に係る標本は、標本の管理が容易で、標本の保存場所を簡易かつ迅速に特定することができるという優れた効果を有する。
【００３７】
なお、前記標本に付与される標本データが、２次元バーコードデータ、または、ＩＣタグに記録された電子データであれば、標本データを簡易かつ迅速に読み取ることができ、ＩＣタグの場合には、さらに標本データの読み書きを非接触で行うことができる。
【００３８】
また、前記標本情報には、少なくとも、前記標本を採取した生物の病名や症状等の疾病情報が含まれ、前記保管場所特定部が、前記疾病情報に基づいて前記保管部を特定可能に構成されていれば、例えば、病理診断や研究において過去の症例との比較を行う必要がある場合に、アルツハイマー病や多発性硬化症等の病名や症状に関連する標本を容易に特定することができる。
【００３９】
また、前記標本情報には、少なくとも、前記標本を採取した患者の氏名や年齢等の個人情報が含まれ、前記保管場所特定部が、病理診断を目的とした利用の場合には前記個人情報に基づく検索が可能に構成され、前記病理診断を目的としない利用の場合には前記個人情報に基づく検索が不可能に構成されていれば、病理診断の場合には、患者の氏名や年齢等、治療に必要な個人情報を取得することができる一方で、病理診断以外の目的で患者の個人情報を不正に取得するような行為を未然に防止することが可能となる。
【００４０】
また、前記送信部は、前記標本データおよび前記識別番号を無線通信で前記保管場所記録部に送信可能に構成されていれば、通信線を敷設する手間等が不要となり、標本管理システムの導入が容易となる。
【００４１】
また、本発明に係る標本は、標本の数が他の種類の標本に比べて多く、標本の管理が極めて困難な、脳の標本の管理に特に好適である。
【００４２】
本発明に係る標本は、前記標本データが記録された２次元バーコードデータ、または、ＩＣタグを備えているため、標本自体に標本に関する標本情報を持たせることができる。そのため、標本を授業等で利用する場合や、大学や施設等へ標本を貸し出す場合に、標本だけを持ち運べばよく、標本の利便性を向上させることができ、標本の種類や数が増えるほど、その利便性は高くなる。
【００４３】
また、前記ＩＣタグが、前記標本と共に樹脂に封入されていれば、標本データの読み書きを非接触で行うことができる上に、標本ラベル等を標本に貼り付ける手間が不要となる。また、ＩＣタグは標本を樹脂で固める際に標本と共に封入すればよく、作製も容易である。
【発明を実施するための最良の形態】
【００４４】
以下、図面を用いて、本発明の実施形態に係る標本を管理するための標本管理システムについて説明する。
【００４５】
図１は、本実施形態に係る標本管理システム１０の主要な構成を示す概略構成図である。
【００４６】
この標本管理システム１０は、標本に関する標本情報ＳＩを入力可能な標本情報入力部１２と、この標本情報入力部１２によって入力された標本情報ＳＩを記憶可能な標本情報記憶部１４と、この標本情報記憶部１４に記憶された標本情報ＳＩの少なくとも一部を標本データＳＤとして出力可能な標本データ出力部１６と、この標本データ出力部１６によって出力された標本データＳＤが付与される標本ＳＰを保管する保管部１８と、標本ＳＰに付与された標本データＳＤと保管部１８に付与された識別番号ＩＤとを取得して外部に送信可能な送信部２０と、この送信部２０によって送信された標本データＳＤおよび識別番号ＩＤを受信し、標本情報ＳＩと識別番号ＩＤを関連付けして標本情報記憶部１４に記録する保管場所記録部２２と、標本情報記憶部１４に記憶された標本情報ＳＩに基づいて保管部１８の識別番号ＩＤを検索し、標本ＳＰが保管されている保管部１８を特定する保管場所特定部２４と、を有して構成されている。
【００４７】
標本情報入力部１２は、本実施形態では、パーソナルコンピュータ（ＰＣ）のキーボードによって構成されるが、本発明に係る「標本情報入力部」は標本に関する標本情報を入力可能なものであればよく、標本情報入力部１２としては、例えば、タッチパネル等を適用することもできる。
【００４８】
また、この標本情報入力部１２によって入力される標本情報ＳＩとしては、例えば、標本の部位（例えば、脳や内臓等）の情報、標本の染色体の種類（例えば、一般染色体や免疫染色体）の情報、標本を採取した生物の病名や症状等の疾病情報、標本を採取した患者（人間）の氏名や年齢等の個人情報等を挙げることができるが、これらの情報に限定されるものではない。
【００４９】
標本情報記憶部１４は、本実施形態では、ＰＣに内蔵されたハードディスク（ＨＤＤ）によって構成されるが、本発明に係る「標本情報記憶部」は標本情報入力部１２によって入力された標本情報ＳＩを記憶可能なものであればよく、標本情報記憶部１４としては、例えば、外付けのハードディスクや、ＤＶＤやＣＤ等に代表される光ディスク記録媒体等を適用することもできる。
【００５０】
標本データ出力部１６は、本実施形態では、標本情報ＳＩの一部を２次元バーコードデータ（標本データＳＤ）として印刷可能なプリンタによって構成され、この標本データ出力部１６により２次元バーコードデータが印刷された「標本ラベル」が作成される。なお、本発明に係る「標本データ出力部」は標本情報記憶部１４に記憶された標本情報ＳＩの少なくとも一部を標本データＳＤとして出力可能であればよく、標本データ出力部１６としては、例えば、ＩＣタグに標本データの書込みを行う接触式または非接触式のＩＣタグライタ等を適用することもできる。
【００５１】
また、この標本データ出力部１６によって出力される標本データＳＤは、２次元バーコードデータに限定されるものではなく、例えば、１次元バーコードデータや、ＩＣタグに記録された電子データ等であってもよい。
【００５２】
保管部１８は、本実施形態では、複数の標本棚１８Ａを備えた保冷庫によって構成され、この保冷庫の各標本棚１８Ａには、各標本棚１８Ａを識別するための識別番号ＩＤが付与される。なお、識別番号ＩＤの付与の方法は特に限定されないが、本実施形態では、識別番号ＩＤが２次元バーコードデータとして印刷された識別ラベルが、各標本棚１８Ａに貼り付けられている。また、本発明に係る「保管部」は標本ＳＰが保管可能なものであればよく、保冷庫に限定されるものではない。
【００５３】
この保管部１８に保管される標本ＳＰとしては、例えば、図２に示されるように、ガラスに貼り付けた形態で顕微鏡のもとで分析される光学顕微鏡（光顕）標本や、このような光顕標本を作製するもととなるもので、病理標本として最適な部位がカッティングされ、ロウの中に封入されたパラフィンブロックや、タンパク質や核酸を採るために生の状態で急速凍結された新鮮凍結生標本や、標本を樹脂（例えば、エポキシ樹脂やアクリル樹脂）で固めて標本の先端を削りだした電子顕微鏡（電顕）用ブロック等を挙げることができるが、これらに限定されるものではない。
【００５４】
通常、病理解剖では、脳や臓器のタンパク質の変質を防止するために、取り出した脳や臓器をそのままホルマリン固定液に入れて臓器を固定する。そして、固定した脳や臓器を切り出して、上述のパラフィンブロックや光顕標本を作製する。しかしながら、ホルマリンはタンパク質を強く固定してしまうので、タンパク質や核酸はホルマリンによって変性を起こし、パラフィンブロックや光顕標本からタンパク質や核酸を抽出することはほぼ不可能となってしまう。そのため、病理解剖においては、脳や臓器の少なくとも一部を上述の新鮮凍結生標本として保存することが好ましい。このような新鮮凍結生標本は、研究用としてメッセンジャーＲＮＡやタンパク質の採取等に用いることができるだけでなく、遺伝子解析やタンパク質の映像パターンを得ることもでき、患者の病理診断にも有用である。
【００５５】
本実施形態では、標本ＳＰが光顕標本やパラフィンブロックである場合には、上述の標本ラベルが標本ＳＰの表面に直接、貼り付けられることによって、標本ＳＰに標本データＳＤが付与される。
また、標本ＳＰが新鮮凍結生標本である場合には、標本ＳＰは標本ラベルが貼り付けられた保存容器（例えば、シャーレ）に収容されることによって、標本ＳＰに標本データＳＤが付与される。
【００５６】
さらに、標本ＳＰが電顕用ブロックである場合には、標本ＳＰを固める樹脂の表面に標本ラベルを直接、貼り付けてもよいが、ＩＣタグが標本ＳＰと共に樹脂に封入されていれば、標本データの読み書きを非接触で行うことができる上に、標本ラベル等を標本に貼り付ける手間が不要となる。また、ＩＣタグは標本を樹脂で固める際に標本と共に封入すればよく、作製も容易である。
【００５７】
また、標本ＳＰが、標本データＳＤが記録された２次元バーコードデータ、またはＩＣタグを備えていれば、標本自体に標本情報を持たせることができる。すなわち、標本ＳＰの２次元バーコードデータまたはＩＣタグを２次元バーコードリーダーまたはＩＣタグリーダーで読み取ることにより記録されている標本データＳＤを簡易に取得できるので、標本を授業等で利用する場合や、大学や施設等への標本を貸し出し等がきわめて容易になり、標本の利便性を向上させることができ、特に標本の種類や数が増えるほど、その利便性は高くなる。
【００５８】
また、本発明に係る「標本」の種類は特に限定されないが、本発明に係る標本管理システムによれば、標本の管理が容易で、標本の保存場所を簡易かつ迅速に特定することができるため、標本の数が他の種類の標本に比べて多く、標本の管理が極めて困難な、脳の標本の管理に特に好適である。なお、本発明に係る「脳の標本」には、ある病気で亡くなられた患者が診断確定等の理由で解剖されたときに採取される「部検脳」や、病理組織診断を確定するために生きた患者から手術的に脳の病変部が摘出された「生検脳」が含まれる。
【００５９】
さらに、標本ＳＰの採取においては、解剖時の脳や臓器の断片写真等を撮影する場合があるが、このような断片写真等を、本発明に係る標本管理システムによって標本ＳＰと共に管理すれば、病理診断や研究において非常に有用である。
【００６０】
図１に戻って、送信部２０は、本実施形態では、標本ＳＰに付与された、２次元バーコードからなる標本データＳＤと、保管部１８に付与された、２次元バーコードからなる識別番号ＩＤとを読み取り可能な２次元バーコードリーダーである携帯端末によって構成され、この携帯端末は、取得した標本データＳＤおよび識別情報ＩＤを光通信で外部に送信可能である。このように、送信部２０が、標本データＳＤおよび識別番号ＩＤを光通信で保管場所記録部２２に送信可能に構成されていれば、通信線を敷設する手間等が不要となり、標本管理システム１０の導入が容易となる。
【００６１】
なお、本発明に係る「送信部」は標本ＳＰに付与された標本データＳＤと保管部１８に付与された識別番号ＩＤとを取得して外部に送信可能なものであればよく、例えば、標本データＳＤおよび識別情報ＩＤを無線通信または有線通信で外部に送信可能なものでもよい。
【００６２】
保管場所記録部２２は、送信部２０によって送信された標本データＳＤおよび識別番号ＩＤを光通信ユニット２６を介して受信し、標本データＳＤに基づいて、標本情報記憶部１４に記憶されている標本情報ＳＩを特定する。そして、この標本情報ＳＩと、取得した識別番号ＩＤとを関連付けして標本情報記憶部１４に記録する。
【００６３】
なお、本発明に係る「保管場所記録部」は送信部２０によって送信された標本データＳＤおよび識別番号ＩＤを受信し、標本情報ＳＩと識別番号ＩＤを関連付けして標本情報記憶部１４に記録可能なものでさえあれば良く、本実施形態に限定されるものではない。例えば、本実施形態では、送信部２０から送信されるデータを光通信ユニット２６を用いて光通信で受信するように構成したが、送信部から送信されるデータをイーサネット（登録商標）、トークンリング、ＦＤＤＩ、ＵＳＢ、ＩＥＥＥ１３９４等の規格による有線通信や、Ｂｌｕｅｔｏｏｔｈ（ブルートゥース）、ＩＥＥＥ８０２.１１、ＨｏｍｅＲＦ、ＩｒＤＡ等の規格による無線通信で受信するように構成してもよい。
【００６４】
保管場所特定部２４は、標本情報記憶部１４に記憶された標本情報ＳＩに基づいて保管部１８の識別番号ＩＤを検索し、標本ＳＰが保管されている保管部１８の標本棚１８Ａを特定する。なお、本発明に係る「保管場所特定部」は標本情報記憶部１４に記憶された標本情報ＳＩに基づいて保管部１８の識別番号ＩＤを検索し、標本ＳＰが保管されている保管部１８の標本棚１８Ａを特定可能なものであれば良く、本実施形態に限定されるものではない。
【００６５】
次に、本実施形態に係る標本管理システム１０の作用について説明する。
【００６６】
図３は標本管理システム１０で用いられるソフトウエアのメインメニュー画面の一例を示したものである。
【００６７】
標本管理システム１０では、このソフトウエアを用いて、各種標本に関する標本情報の入力や、標本ラベルの作成、標本情報の検索等を行うことが可能となっている。
【００６８】
標本管理システム１０を使用する使用者は、まず、メインメニュー画面に表示される「標本ラベル情報登録」、「標本ラベル情報照会」、「マスタメンテナンス」のアイコンの中から、いずれか１つを選択する。
【００６９】
例えば、メインメニュー画面において「標本ラベル情報登録」のアイコンが選択された場合には、図４に示されるような、標本ラベルの種類を選択するための標本ラベル選択画面が表示される。
【００７０】
使用者は、この標本ラベル選択画面に表示される「解剖例」、「手術」、「動物」のアイコンの中から、いずれか１つを選択する。
【００７１】
例えば、標本ラベル選択画面において「解剖例」のアイコンが選択された場合には、図５に示されるような、解剖例用の標本に関する標本情報を登録するための解剖例標本登録画面が表示される。また、標本ラベル選択画面において「手術」のアイコンが選択された場合には、図６に示されるような、手術用の標本に関する標本情報を登録するための手術標本登録画面が表示される。さらに、標本ラベル選択画面において「動物」のアイコンが選択された場合には、図７に示されるような、動物用の標本に関する標本情報を登録するための動物標本登録画面が表示される。
【００７２】
図５に示される解剖例標本登録画面では、標本情報入力部１２を用いて、症例番号、「脱灰」の文字の印刷の有無、脳の部位（例えば、脳幹や前頭葉等）、内臓器の部位（例えば、心臓や胃等）、染色名（一般染色または免疫染色）、備考等の、解剖例の標本に関する標本情報ＳＩが入力可能となっている。なお、標本情報ＳＩの入力が終了し、「登録」のアイコンが選択された場合には、標本番号に１〜９９９９９９９９９までのユニークな数値が自動的に割り当てられると共に、入力された標本情報ＳＩが標本情報記憶部１４に記憶される。また、「スライドラベル印刷」や「ブロックラベル印刷」のアイコンが選択された場合には、入力された標本情報ＳＩの一部または全てが２次元バーコードデータに変換された後、標本データ出力部１６によって解剖例用の標本ラベルが印刷される。
【００７３】
図６に示される手術標本登録画面では、標本情報入力部１２を用いて、検体番号、「脱灰」の文字の印刷の有無、染色名（一般染色または免疫染色）、処理方法、希釈倍率、日付、備考等の、手術用の標本に関する標本情報ＳＩが入力可能となっている。なお、標本番号の数値の割り当て方法や、「スライドラベル印刷」および「ブロックラベル印刷」のアイコンの機能については、上述の解剖例標本登録画面と同一である。また、図７に示される動物標本登録画面は、この手術標本登録画面と同一の構成であるため、その説明は省略する。
【００７４】
また、送信部２０から標本データＳＤおよび識別番号ＩＤを受信した場合には、保管場所記録部２２が、受信した標本データＳＤに基づいて、標本情報記憶部１４に記憶されている標本情報ＳＩを特定すると共に、この標本情報ＳＩと、取得した識別番号ＩＤとを関連付けして標本情報記憶部１４に記録する。
【００７５】
図３に戻って、メインメニュー画面において「標本ラベル情報照会」のアイコンが選択された場合には、図８に示されるような、標本情報を検索するための標本ラベル情報検索画面が表示される。
【００７６】
使用者は、この標本ラベル情報検索画面を用いて、解剖例、手術、および動物の標本に関する標本情報ＳＩを検索することができる。例えば、標本番号を入力した後、「検索」のアイコンを選択することによって、図９に示されるような標本ラベル情報検索結果画面が表示され、標本番号から症例／検体番号、部位、染色名等の標本情報を取得することができる。また、図示はしないが、「検索」のアイコンが選択された場合、上述の保管場所特定部２４は、標本情報記憶部１４に記憶された標本情報ＳＩに基づいて保管部１８の識別番号ＩＤを検索し、標本ＳＰが保管されている保管部１８の標本棚１８Ａを特定して、標本ラベル情報検索画面に標本棚１８Ａの名称や番号を表示する。これにより、標本管理システム１０の利用者は、標本番号や病名、症例等から標本ＳＰの保管場所を簡易かつ迅速に特定することができる。
【００７７】
なお、保管場所特定部２４が、病理診断を目的とした利用の場合には個人情報に基づく検索が可能に構成され、病理診断を目的としない利用の場合には個人情報に基づく検索が不可能に構成されていれば（例えば、パスワードの入力があった場合のみ個人情報に基づく検索が可能とすれば）、病理診断の場合には、患者の氏名や年齢等、治療に必要な個人情報を取得することができる一方で、病理診断以外の目的で患者の個人情報を取得するような不正行為を未然に防止することが可能となる。
【００７８】
なお、メインメニュー画面における「マスタメンテナンス」では、標本の部位、染色名、処理方法、希釈方法等のマスタデータの登録、追加、削除等が可能となっている。
【００７９】
以上説明したように、本実施形態に係る標本管理システム１０は、標本に関する標本情報ＳＩを入力可能な標本情報入力部１２と、この標本情報入力部１２によって入力された標本情報ＳＩを記憶可能な標本情報記憶部１４と、この標本情報記憶部１４に記憶された標本情報ＳＩの少なくとも一部を標本データＳＤとして出力可能な標本データ出力部１６と、この標本データ出力部１６によって出力された標本データＳＤが付与される標本ＳＰを保管する保管部１８と、標本ＳＰに付与された標本データＳＤと保管部１８に付与された識別番号ＩＤとを取得して外部に送信可能な送信部２０と、この送信部２０によって送信された標本データＳＤおよび識別番号ＩＤを受信し、標本情報ＳＩと識別番号ＩＤを関連付けして標本情報記憶部１４に記録する保管場所記録部２２と、標本情報記憶部１４に記憶された標本情報ＳＩに基づいて保管部１８の識別番号ＩＤを検索し、標本ＳＰが保管されている保管部１８を特定する保管場所特定部２４と、を有して構成されているため、標本の保存場所を簡易かつ迅速に特定することができる。また、パラフィンブロック、光顕標本、電顕用ブロック、新鮮凍結生標本等の多種多様で膨大な数の標本を容易に管理することができる。
【００８０】
また、標本ＳＰに付与される標本データＳＤは、２次元バーコードデータ、または、ＩＣタグに記録された電子データであるため、標本データを簡易かつ迅速に読み取ることができ、ＩＣタグの場合には、さらに標本データの読み書きを非接触で行うことができる。
【００８１】
さらに、標本情報ＳＩには、少なくとも、標本ＳＰを採取した生物の病名や症状等の疾病情報が含まれ、保管場所特定部２４が、生物の疾病情報に基づいて保管部１８を特定可能に構成されているため、例えば、病理診断や研究において過去の症例との比較を行う必要がある場合に、アルツハイマー病や多発性硬化症等の疾病情報に関連する標本を容易に特定することができる。
【００８２】
本発明による標本管理システムおよび標本管理方法は、上記各手順を実行するための専用のハードウエア回路によっても、また、上記各手順を記述したプログラムをＣＰＵが実行することによっても実現することができる。後者により本発明を実現する場合、標本管理システムを動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、標本管理システムの一機能としてその装置のソフトウエアに組み込んでもよい。
【産業上の利用可能性】
【００８３】
本発明に係る標本は、生物の各種標本として用いることができるが、特に脳標本として好適である。
【図面の簡単な説明】
【００８４】
【図１】本実施形態に係る標本を管理するための標本管理システムの主要な構成を示す概略構成図である。
【図２】同標本管理システムで管理される標本の一例を示した図である。
【図３】同標本管理システムで用いられるソフトウエアのメインメニュー画面の一例を示したものである。
【図４】同標本管理システムにおける標本ラベル選択画面の一例を示したものである。
【図５】同標本管理システムにおける解剖例標本登録画面の一例を示したものである。
【図６】同標本管理システムにおける手術標本登録画面の一例を示したものである。
【図７】同標本管理システムにおける動物標本登録画面の一例を示したものである。
【図８】同標本管理システムにおける標本ラベル情報検索画面の一例を示したものである。
【図９】同標本管理システムにおける標本ラベル情報検索結果画面の一例を示したものである。
【符号の説明】
【００８５】
１０  標本管理システム
１２  標本情報入力部
１４  標本情報記憶部
１６  標本データ出力部
１８  保管部
２０  送信部
２２  保管場所記録部
２４  保管場所特定部
ＩＤ  識別番号
ＳＰ  標本
ＳＤ  標本データ
ＳＩ  標本情報
【図１】
2011099855.tif 000003
【図２】
2011099855.tif 000004
【図３】
2011099855.tif 000005
【図４】
2011099855.tif 000006
【図５】
2011099855.tif 000007
【図６】
2011099855.tif 000008
【図７】
2011099855.tif 000009
【図８】
2011099855.tif 000010
【図９】
2011099855.tif 000011
【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
患者から採取された生標本を固定して得られた固定標本から作製されたパラフィンブロック標本と、
前記生標本を急速凍結して得られた新鮮凍結生標本と、を有し、
前記パラフィンブロック標本及び前記新鮮凍結生標本は、互いを関連付ける関連情報が付与されていることを特徴とする、標本。
【請求項２】
患者から採取された生標本を固定して得られた固定標本から作製されたパラフィンブロック標本から作製された光学顕微鏡標本と、
前記生標本を急速凍結して得られた新鮮凍結生標本と、を有し、
前記パラフィンブロック標本、前記光学顕微鏡標本及び前記新鮮凍結生標本は、互いを関連付ける関連情報が付与されていることを特徴とする、標本。
【請求項３】
患者から採取された生標本を固定して得られた固定標本から作製された電子顕微鏡標本と、
前記生標本を急速凍結して得られた新鮮凍結生標本と、を有し、
前記電子顕微鏡標本及び前記新鮮凍結生標本は、互いを関連付ける関連情報が付与されていることを特徴とする、標本。
【請求項４】
前記関連情報は、前記生標本に関する情報であって少なくとも前記患者の疾病情報および個人情報を含む標本情報の一部又は全部と前記生標本に割り当てられた標本番号とを含むことを特徴とする、請求項１ないし３のいずれか１項に記載の標本。
【請求項５】
前記関連情報は、１次元バーコードラベル、２次元バーコードラベル、またはＩＣタグを用いて付与されていることを特徴とする、
請求項１ないし４のいずれか１項に記載の標本。
【請求項６】
前記関連情報は、ＩＣタグを用いて付与されており、前記ＩＣタグは、電子顕微鏡標本の樹脂中に封入されていることを特徴とする、
請求項３に記載の標本。
【請求項７】
前記生標本は、脳標本であることを特徴とする、
請求項１ないし６のいずれか１項に記載の標本。
【請求項８】
前記標本に関する情報であって少なくとも前記標本が採取された患者の疾病情報および個人情報を含む標本情報を入力する標本情報入力部と、
前記標本に標本番号を割り当てる標本番号割当部と、
前記標本情報入力部により入力された標本情報の一部又は全部と前記標本番号割当部により割り当てられた標本番号とを含む標本データを出力する標本データ出力部と、
を有する標本管理システムにおいて使用されることを特徴とする、
請求項１ないし７のいずれか１項に記載の標本。
【請求項９】
前記標本管理システムは、
前記標本情報入力部により入力された標本情報および前記標本番号割当部により割り当てた標本番号を記憶する標本情報記憶部と、
前記標本情報記憶部により記憶された標本情報に基づいて前記標本番号を検索し、前記標本を特定する標本特定部と、
をさらに有することを特徴とする、請求項８に記載の標本。
【請求項１０】
前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、
請求項９に記載の標本。
【請求項１１】
前記標本特定部は、予め設定されたパスワードの入力があった場合に病理診断を目的とする検索であると判断することを特徴とする、
請求項１０に記載の標本。
【請求項１２】
前記標本管理システムは、
前記標本データ出力部により出力された標本データを付与した標本を保管する保管部と、
前記標本に付与された標本データと前記保管部に付与された識別番号とを取得して外部に送信する送信部と、
前記送信部により送信された標本データおよび識別番号を受信し、前記標本情報と前記識別番号を関連付けして前記標本情報記憶部に記録する保管場所記録部と、
前記標本情報記憶部により記憶された標本情報に基づいて前記保管部の識別番号を検索し、前記標本が保管されている保管部を特定する保管場所特定部と、
をさらに有することを特徴とする、請求項９ないし１１のいずれか１項に記載の標本。
【請求項１３】
前記送信部は、前記標本データおよび前記識別番号を無線通信で前記保管場所記録部に送信することを特徴とする、
請求項１２に記載の標本。
【請求項１４】
前記標本データは、１次元バーコードデータ、２次元バーコードデータ、または、ＩＣタグに記録された電子データであることを特徴とする、
請求項８ないし１３のいずれか１項に記載の標本。
【請求項１５】
前記標本情報は、標本を採取した部位の情報、標本の染色体の種類の情報または解剖時の器官の断片画像データをさらに含むことを特徴とする、
請求項８ないし１４のいずれか１項に記載の標本。
【請求項１６】
患者から採取された生標本を固定して固定標本を作製する手順と、
前記固定標本からパラフィンブロック標本を作製する手順と、
前記生標本を急速凍結して新鮮凍結生標本を作製する手順と、
前記パラフィンブロック標本及び前記新鮮凍結生標本に互いを関連付ける関連情報を付与する手順と、
を有することを特徴とする、標本作製方法。
【請求項１７】
患者から採取された生標本を固定して固定標本を作製する手順と、
前記固定標本からパラフィンブロック標本を作製する手順と、
前記パラフィンブロック標本から光学顕微鏡標本を作製する手順と、
前記生標本を急速凍結して新鮮凍結生標本を作製する手順と、
前記パラフィンブロック標本、前記光学顕微鏡標本及び前記新鮮凍結生標本に互いを関連付ける関連情報を付与する手順と、
を有することを特徴とする、標本作製方法。
【請求項１８】
患者から採取された生標本を固定して固定標本を作製する手順と、
前記固定標本から電子顕微鏡標本を作製する手順と、
前記生標本を急速凍結して新鮮凍結生標本を作製する手順と、
前記電子顕微鏡標本及び前記新鮮凍結生標本に互いを関連付ける関連情報を付与する手順と、
を有することを特徴とする、標本作製方法。
【請求項１９】
前記関連情報は、前記生標本に関する情報であって少なくとも前記患者の疾病情報および個人情報を含む標本情報の一部又は全部と前記生標本に割り当てられた標本番号とを含むことを特徴とする、請求項１６ないし１８のいずれか１項に記載の標本作製方法。
【請求項２０】
前記生標本は、脳標本であることを特徴とする、
請求項１６ないし１９のいずれか１項に記載の標本作製方法。
【請求項２１】
前記標本は、
前記標本に関する情報であって少なくとも前記標本が採取された患者の疾病情報および個人情報を含む標本情報を入力する標本情報入力部と、
前記標本に標本番号を割り当てる標本番号割当部と、
前記標本情報入力部により入力された標本情報の一部又は全部と前記標本番号割当部により割り当てられた標本番号とを含む標本データを出力する標本データ出力部と、
を有する標本管理システムにおいて使用されることを特徴とする、
請求項１６ないし２０のいずれか１項に記載の標本作製方法。
【請求項２２】
前記標本管理システムは、
前記標本情報入力部により入力された標本情報および前記標本番号割当部により割り当てた標本番号を記憶する標本情報記憶部と、
前記標本情報記憶部により記憶された標本情報に基づいて前記標本番号を検索し、前記標本を特定する標本特定部と、
をさらに有することを特徴とする、請求項２１に記載の標本作製方法。
【請求項２３】
前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、
請求項２２に記載の標本作製方法。
【請求項２４】
前記標本特定部は、予め設定されたパスワードの入力があった場合に病理診断を目的とする検索であると判断することを特徴とする、
請求項２３に記載の標本作製方法。
【請求項２５】
前記標本管理システムは、
前記標本データ出力部により出力された標本データを付与した標本を保管する保管部と、
前記標本に付与された標本データと前記保管部に付与された識別番号とを取得して外部に送信する送信部と、
前記送信部により送信された標本データおよび識別番号を受信し、前記標本情報と前記識別番号を関連付けして前記標本情報記憶部に記録する保管場所記録部と、
前記標本情報記憶部により記憶された標本情報に基づいて前記保管部の識別番号を検索し、前記標本が保管されている保管部を特定する保管場所特定部と、
をさらに有することを特徴とする、請求項２１ないし２４のいずれか１項に記載の標本作製方法。
【請求項２６】
前記送信部は、前記標本データおよび前記識別番号を無線通信で前記保管場所記録部に送信することを特徴とする、
請求項２５に記載の標本作製方法。
【請求項２７】
前記標本データは、１次元バーコードデータ、２次元バーコードデータ、または、ＩＣタグに記録された電子データであることを特徴とする、
請求項２１ないし２６のいずれか１項に記載の標本作製方法。
【請求項２８】
前記標本情報は、標本を採取した部位の情報、標本の染色体の種類の情報または解剖時の器官の断片画像データをさらに含むことを特徴とする、
請求項２１ないし２７のいずれか１項に記載の標本作製方法。
【手続補正２】
【補正対象書類名】明細書
【補正対象項目名】全文
【補正方法】変更
【補正の内容】
【発明の詳細な説明】
【技術分野】
【０００１】
本発明は、標本管理システムによる管理に適した標本および標本の作製方法に関する。
【背景技術】
【０００２】
従来、研究施設や病院等においては、研究や病理診断の材料として多種多様な標本を収集し、管理を行っている。このような研究や病理診断等に用いられる標本は、日々の収集により種類や数が著しく増大するため、標本に関する情報を記載した標本ラベル等を用いて標本を管理する方法が提案されている（例えば、特許文献１参照）。
【特許文献１】特開２０００−２２１１９９号公報
【発明の開示】
【発明が解決しようとする課題】
【０００３】
しかしながら、このような従来の管理方法では、数万から数百万種類にも及ぶ膨大な数の標本の管理には限界があり、特に、脳標本は、標本の数が他の種類の標本に比べて多くなる傾向があるため、標本の管理が極めて困難であるといった問題点があった。
【０００４】
また、従来の管理方法では、標本の保管場所を迅速に特定することができず、研究や病理診断において所望の標本の出し入れに多大な時間を要してしまうといった問題があった。そのため、例えば、脳標本を凍結生標本として収集した場合、保管場所からの出し入れの際に凍結生標本が解凍され、タンパク質やメッセンジャーＲＮＡの収量が悪化してしまうケースも考えられ、標本としての価値が著しく低下してしまうおそれもあった。
【０００５】
本発明は、このような問題点を解決するためになされたものであって、管理が容易で、保存場所を簡易かつ迅速に特定することができる、標本管理システムによる管理に適した標本を提供することを目的とする。
【課題を解決するための手段】
【０００６】
上記課題は、下記の本発明に係る標本および標本の作製方法により解決される。
【０００７】
（１）すなわち、本発明は、患者から採取された生標本を固定して得られた固定標本から作製されたパラフィンブロック標本と、前記生標本を急速凍結して得られた新鮮凍結生標本と、を有し、前記パラフィンブロック標本及び前記新鮮凍結生標本は、互いを関連付ける関連情報が付与されていることを特徴とする、標本である。
【０００８】
（２）本発明はまた、患者から採取された生標本を固定して得られた固定標本から作製されたパラフィンブロック標本から作製された光学顕微鏡標本と、前記生標本を急速凍結して得られた新鮮凍結生標本と、を有し、前記パラフィンブロック標本、前記光学顕微鏡標本及び前記新鮮凍結生標本は、互いを関連付ける関連情報が付与されていることを特徴とする、標本である。
【０００９】
（３）本発明はまた、患者から採取された生標本を固定して得られた固定標本から作製された電子顕微鏡標本と、前記生標本を急速凍結して得られた新鮮凍結生標本と、を有し、前記電子顕微鏡標本及び前記新鮮凍結生標本は、互いを関連付ける関連情報が付与されていることを特徴とする、標本である。
【００１０】
（４）本発明はまた、前記関連情報は、前記生標本に関する情報であって少なくとも前記患者の疾病情報および個人情報を含む標本情報の一部又は全部と前記生標本に割り当てられた標本番号とを含むことを特徴とする、（１）ないし（３）のいずれか１項に記載の標本である。
【００１１】
（５）本発明はまた、前記関連情報は、１次元バーコードラベル、２次元バーコードラベル、またはＩＣタグを用いて付与されていることを特徴とする、（１）ないし（４）のいずれか１項に記載の標本である。
【００１２】
（６）本発明はまた、前記関連情報は、ＩＣタグを用いて付与されており、前記ＩＣタグは、電子顕微鏡標本の樹脂中に封入されていることを特徴とする、（３）に記載の標本である。
【００１３】
（７）本発明はまた、前記生標本は、脳標本であることを特徴とする、（１）ないし（６）のいずれか１項に記載の標本である。
【００１４】
（８）本発明はまた、前記標本に関する情報であって少なくとも前記標本が採取された患者の疾病情報および個人情報を含む標本情報を入力する標本情報入力部と、前記標本に標本番号を割り当てる標本番号割当部と、前記標本情報入力部により入力された標本情報の一部又は全部と前記標本番号割当部により割り当てられた標本番号とを含む標本データを出力する標本データ出力部と、を有する標本管理システムにおいて使用されることを特徴とする、（１）ないし（７）のいずれか１項に記載の標本である。
【００１５】
（９）本発明はまた、前記標本管理システムは、前記標本情報入力部により入力された標本情報および前記標本番号割当部により割り当てた標本番号を記憶する標本情報記憶部と、前記標本情報記憶部により記憶された標本情報に基づいて前記標本番号を検索し、前記標本を特定する標本特定部と、をさらに有することを特徴とする、（８）に記載の標本である。
【００１６】
（１０）本発明はまた、前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、（９）に記載の標本である。
【００１７】
（１１）本発明はまた、前記標本特定部は、予め設定されたパスワードの入力があった場合に病理診断を目的とする検索であると判断することを特徴とする、（１０）に記載の標本である。
【００１８】
（１２）本発明はまた、前記標本管理システムは、前記標本データ出力部により出力された標本データを付与した標本を保管する保管部と、前記標本に付与された標本データと前記保管部に付与された識別番号とを取得して外部に送信する送信部と、前記送信部により送信された標本データおよび識別番号を受信し、前記標本情報と前記識別番号を関連付けして前記標本情報記憶部に記録する保管場所記録部と、前記標本情報記憶部により記憶された標本情報に基づいて前記保管部の識別番号を検索し、前記標本が保管されている保管部を特定する保管場所特定部と、をさらに有することを特徴とする、（９）ないし（１１）のいずれか１項に記載の標本である。
【００１９】
（１３）本発明はまた、前記送信部は、前記標本データおよび前記識別番号を無線通信で前記保管場所記録部に送信することを特徴とする、（１２）に記載の標本である。
【００２０】
（１４）本発明はまた、前記標本データは、１次元バーコードデータ、２次元バーコードデータ、または、ＩＣタグに記録された電子データであることを特徴とする、（８）ないし（１３）のいずれか１項に記載の標本である。
【００２１】
（１５）本発明はまた、前記標本情報は、標本を採取した部位の情報、標本の染色体の種類の情報または解剖時の器官の断片画像データをさらに含むことを特徴とする、（８）ないし（１４）のいずれか１項に記載の標本である。
【００２２】
（１６）本発明はまた、患者から採取された生標本を固定して固定標本を作製する手順と、前記固定標本からパラフィンブロック標本を作製する手順と、前記生標本を急速凍結して新鮮凍結生標本を作製する手順と、前記パラフィンブロック標本及び前記新鮮凍結生標本に互いを関連付ける関連情報を付与する手順と、
を有することを特徴とする、標本作製方法である。
【００２３】
（１７）本発明はまた、患者から採取された生標本を固定して固定標本を作製する手順と、前記固定標本からパラフィンブロック標本を作製する手順と、前記パラフィンブロック標本から光学顕微鏡標本を作製する手順と、前記生標本を急速凍結して新鮮凍結生標本を作製する手順と、前記パラフィンブロック標本、前記光学顕微鏡標本及び前記新鮮凍結生標本に互いを関連付ける関連情報を付与する手順と、を有することを特徴とする、標本作製方法である。
【００２４】
（１８）本発明はまた、患者から採取された生標本を固定して固定標本を作製する手順と、前記固定標本から電子顕微鏡標本を作製する手順と、前記生標本を急速凍結して新鮮凍結生標本を作製する手順と、前記電子顕微鏡標本及び前記新鮮凍結生標本に互いを関連付ける関連情報を付与する手順と、を有することを特徴とする、標本作製方法である。
【００２５】
（１９）本発明はまた、前記関連情報は、前記生標本に関する情報であって少なくとも前記患者の疾病情報および個人情報を含む標本情報の一部又は全部と前記生標本に割り当てられた標本番号とを含むことを特徴とする、（１６）ないし（１８）のいずれか１項に記載の標本作製方法である。
【００２６】
（２０）本発明はまた、前記生標本は、脳標本であることを特徴とする、
（１６）ないし（１９）のいずれか１項に記載の標本作製方法である。
【００２７】
（２１）本発明はまた、前記標本は、前記標本に関する情報であって少なくとも前記標本が採取された患者の疾病情報および個人情報を含む標本情報を入力する標本情報入力部と、前記標本に標本番号を割り当てる標本番号割当部と、前記標本情報入力部により入力された標本情報の一部又は全部と前記標本番号割当部により割り当てられた標本番号とを含む標本データを出力する標本データ出力部と、を有する標本管理システムにおいて使用されることを特徴とする、（１６）ないし（２０）のいずれか１項に記載の標本作製方法である。
【００２８】
（２２）本発明はまた、前記標本管理システムは、前記標本情報入力部により入力された標本情報および前記標本番号割当部により割り当てた標本番号を記憶する標本情報記憶部と、前記標本情報記憶部により記憶された標本情報に基づいて前記標本番号を検索し、前記標本を特定する標本特定部と、をさらに有することを特徴とする、（２１）に記載の標本作製方法である。
【００２９】
（２３）本発明はまた、前記標本特定部は、病理診断を目的とする検索の場合は前記標本情報のうち前記個人情報に基づく検索を利用可能とし、病理診断を目的としない検索の場合は前記標本情報のうち前記個人情報に基づく検索を利用不可能とするように構成されたことを特徴とする、（２２）に記載の標本作製方法である。
【００３０】
（２４）本発明はまた、前記標本特定部は、予め設定されたパスワードの入力があった場合に病理診断を目的とする検索であると判断することを特徴とする、
（２３）に記載の標本作製方法である。
【００３１】
（２５）本発明はまた、前記標本管理システムは、前記標本データ出力部により出力された標本データを付与した標本を保管する保管部と、前記標本に付与された標本データと前記保管部に付与された識別番号とを取得して外部に送信する送信部と、前記送信部により送信された標本データおよび識別番号を受信し、前記標本情報と前記識別番号を関連付けして前記標本情報記憶部に記録する保管場所記録部と、前記標本情報記憶部により記憶された標本情報に基づいて前記保管部の識別番号を検索し、前記標本が保管されている保管部を特定する保管場所特定部と、をさらに有することを特徴とする、（２１）ないし（２４）のいずれか１項に記載の標本作製方法である。
【００３２】
（２６）本発明はまた、前記送信部は、前記標本データおよび前記識別番号を無線通信で前記保管場所記録部に送信することを特徴とする、（２５）に記載の標本作製方法である。
【００３３】
（２７）本発明はまた、前記標本データは、１次元バーコードデータ、２次元バーコードデータ、または、ＩＣタグに記録された電子データであることを特徴とする、（２１）ないし（２６）のいずれか１項に記載の標本作製方法である。
【００３４】
（２８）本発明はまた、前記標本情報は、標本を採取した部位の情報、標本の染色体の種類の情報または解剖時の器官の断片画像データをさらに含むことを特徴とする、（２１）ないし（２７）のいずれか１項に記載の標本作製方法である。
【発明の効果】
【００３５】
本発明に係る標本は、標本の管理が容易で、標本の保存場所を簡易かつ迅速に特定することができるという優れた効果を有する。
【００３６】
なお、前記標本に付与される標本データが、２次元バーコードデータ、または、ＩＣタグに記録された電子データであれば、標本データを簡易かつ迅速に読み取ることができ、ＩＣタグの場合には、さらに標本データの読み書きを非接触で行うことができる。
【００３７】
また、前記標本情報には、少なくとも、前記標本を採取した生物の病名や症状等の疾病情報が含まれ、前記保管場所特定部が、前記疾病情報に基づいて前記保管部を特定可能に構成されていれば、例えば、病理診断や研究において過去の症例との比較を行う必要がある場合に、アルツハイマー病や多発性硬化症等の病名や症状に関連する標本を容易に特定することができる。
【００３８】
また、前記標本情報には、少なくとも、前記標本を採取した患者の氏名や年齢等の個人情報が含まれ、前記保管場所特定部が、病理診断を目的とした利用の場合には前記個人情報に基づく検索が可能に構成され、前記病理診断を目的としない利用の場合には前記個人情報に基づく検索が不可能に構成されていれば、病理診断の場合には、患者の氏名や年齢等、治療に必要な個人情報を取得することができる一方で、病理診断以外の目的で患者の個人情報を不正に取得するような行為を未然に防止することが可能となる。
【００３９】
また、前記送信部は、前記標本データおよび前記識別番号を無線通信で前記保管場所記録部に送信可能に構成されていれば、通信線を敷設する手間等が不要となり、標本管理システムの導入が容易となる。
【００４０】
また、本発明に係る標本は、標本の数が他の種類の標本に比べて多く、標本の管理が極めて困難な、脳の標本の管理に特に好適である。
【００４１】
本発明に係る標本は、前記標本データが記録された２次元バーコードデータ、または、ＩＣタグを備えているため、標本自体に標本に関する標本情報を持たせることができる。そのため、標本を授業等で利用する場合や、大学や施設等へ標本を貸し出す場合に、標本だけを持ち運べばよく、標本の利便性を向上させることができ、標本の種類や数が増えるほど、その利便性は高くなる。
【００４２】
また、前記ＩＣタグが、前記標本と共に樹脂に封入されていれば、標本データの読み書きを非接触で行うことができる上に、標本ラベル等を標本に貼り付ける手間が不要となる。また、ＩＣタグは標本を樹脂で固める際に標本と共に封入すればよく、作製も容易である。
【発明を実施するための最良の形態】
【００４３】
以下、図面を用いて、本発明の実施形態に係る標本を管理するための標本管理システムについて説明する。
【００４４】
図１は、本実施形態に係る標本管理システム１０の主要な構成を示す概略構成図である。
【００４５】
この標本管理システム１０は、標本に関する標本情報ＳＩを入力可能な標本情報入力部１２と、この標本情報入力部１２によって入力された標本情報ＳＩを記憶可能な標本情報記憶部１４と、この標本情報記憶部１４に記憶された標本情報ＳＩの少なくとも一部を標本データＳＤとして出力可能な標本データ出力部１６と、この標本データ出力部１６によって出力された標本データＳＤが付与される標本ＳＰを保管する保管部１８と、標本ＳＰに付与された標本データＳＤと保管部１８に付与された識別番号ＩＤとを取得して外部に送信可能な送信部２０と、この送信部２０によって送信された標本データＳＤおよび識別番号ＩＤを受信し、標本情報ＳＩと識別番号ＩＤを関連付けして標本情報記憶部１４に記録する保管場所記録部２２と、標本情報記憶部１４に記憶された標本情報ＳＩに基づいて保管部１８の識別番号ＩＤを検索し、標本ＳＰが保管されている保管部１８を特定する保管場所特定部２４と、を有して構成されている。
【００４６】
標本情報入力部１２は、本実施形態では、パーソナルコンピュータ（ＰＣ）のキーボードによって構成されるが、本発明に係る「標本情報入力部」は標本に関する標本情報を入力可能なものであればよく、標本情報入力部１２としては、例えば、タッチパネル等を適用することもできる。
【００４７】
また、この標本情報入力部１２によって入力される標本情報ＳＩとしては、例えば、標本の部位（例えば、脳や内臓等）の情報、標本の染色体の種類（例えば、一般染色体や免疫染色体）の情報、標本を採取した生物の病名や症状等の疾病情報、標本を採取した患者（人間）の氏名や年齢等の個人情報等を挙げることができるが、これらの情報に限定されるものではない。
【００４８】
標本情報記憶部１４は、本実施形態では、ＰＣに内蔵されたハードディスク（ＨＤＤ）によって構成されるが、本発明に係る「標本情報記憶部」は標本情報入力部１２によって入力された標本情報ＳＩを記憶可能なものであればよく、標本情報記憶部１４としては、例えば、外付けのハードディスクや、ＤＶＤやＣＤ等に代表される光ディスク記録媒体等を適用することもできる。
【００４９】
標本データ出力部１６は、本実施形態では、標本情報ＳＩの一部を２次元バーコードデータ（標本データＳＤ）として印刷可能なプリンタによって構成され、この標本データ出力部１６により２次元バーコードデータが印刷された「標本ラベル」が作成される。なお、本発明に係る「標本データ出力部」は標本情報記憶部１４に記憶された標本情報ＳＩの少なくとも一部を標本データＳＤとして出力可能であればよく、標本データ出力部１６としては、例えば、ＩＣタグに標本データの書込みを行う接触式または非接触式のＩＣタグライタ等を適用することもできる。
【００５０】
また、この標本データ出力部１６によって出力される標本データＳＤは、２次元バーコードデータに限定されるものではなく、例えば、１次元バーコードデータや、ＩＣタグに記録された電子データ等であってもよい。
【００５１】
保管部１８は、本実施形態では、複数の標本棚１８Ａを備えた保冷庫によって構成され、この保冷庫の各標本棚１８Ａには、各標本棚１８Ａを識別するための識別番号ＩＤが付与される。なお、識別番号ＩＤの付与の方法は特に限定されないが、本実施形態では、識別番号ＩＤが２次元バーコードデータとして印刷された識別ラベルが、各標本棚１８Ａに貼り付けられている。また、本発明に係る「保管部」は標本ＳＰが保管可能なものであればよく、保冷庫に限定されるものではない。
【００５２】
この保管部１８に保管される標本ＳＰとしては、例えば、図２に示されるように、ガラスに貼り付けた形態で顕微鏡のもとで分析される光学顕微鏡（光顕）標本や、このような光顕標本を作製するもととなるもので、病理標本として最適な部位がカッティングされ、ロウの中に封入されたパラフィンブロックや、タンパク質や核酸を採るために生の状態で急速凍結された新鮮凍結生標本や、標本を樹脂（例えば、エポキシ樹脂やアクリル樹脂）で固めて標本の先端を削りだした電子顕微鏡（電顕）用ブロック等を挙げることができるが、これらに限定されるものではない。
【００５３】
通常、病理解剖では、脳や臓器のタンパク質の変質を防止するために、取り出した脳や臓器をそのままホルマリン固定液に入れて臓器を固定する。そして、固定した脳や臓器を切り出して、上述のパラフィンブロックや光顕標本を作製する。しかしながら、ホルマリンはタンパク質を強く固定してしまうので、タンパク質や核酸はホルマリンによって変性を起こし、パラフィンブロックや光顕標本からタンパク質や核酸を抽出することはほぼ不可能となってしまう。そのため、病理解剖においては、脳や臓器の少なくとも一部を上述の新鮮凍結生標本として保存することが好ましい。このような新鮮凍結生標本は、研究用としてメッセンジャーＲＮＡやタンパク質の採取等に用いることができるだけでなく、遺伝子解析やタンパク質の映像パターンを得ることもでき、患者の病理診断にも有用である。
【００５４】
本実施形態では、標本ＳＰが光顕標本やパラフィンブロックである場合には、上述の標本ラベルが標本ＳＰの表面に直接、貼り付けられることによって、標本ＳＰに標本データＳＤが付与される。
また、標本ＳＰが新鮮凍結生標本である場合には、標本ＳＰは標本ラベルが貼り付けられた保存容器（例えば、シャーレ）に収容されることによって、標本ＳＰに標本データＳＤが付与される。
【００５５】
さらに、標本ＳＰが電顕用ブロックである場合には、標本ＳＰを固める樹脂の表面に標本ラベルを直接、貼り付けてもよいが、ＩＣタグが標本ＳＰと共に樹脂に封入されていれば、標本データの読み書きを非接触で行うことができる上に、標本ラベル等を標本に貼り付ける手間が不要となる。また、ＩＣタグは標本を樹脂で固める際に標本と共に封入すればよく、作製も容易である。
【００５６】
また、標本ＳＰが、標本データＳＤが記録された２次元バーコードデータ、またはＩＣタグを備えていれば、標本自体に標本情報を持たせることができる。すなわち、標本ＳＰの２次元バーコードデータまたはＩＣタグを２次元バーコードリーダーまたはＩＣタグリーダーで読み取ることにより記録されている標本データＳＤを簡易に取得できるので、標本を授業等で利用する場合や、大学や施設等への標本を貸し出し等がきわめて容易になり、標本の利便性を向上させることができ、特に標本の種類や数が増えるほど、その利便性は高くなる。
【００５７】
また、本発明に係る「標本」の種類は特に限定されないが、本発明に係る標本管理システムによれば、標本の管理が容易で、標本の保存場所を簡易かつ迅速に特定することができるため、標本の数が他の種類の標本に比べて多く、標本の管理が極めて困難な、脳の標本の管理に特に好適である。なお、本発明に係る「脳の標本」には、ある病気で亡くなられた患者が診断確定等の理由で解剖されたときに採取される「部検脳」や、病理組織診断を確定するために生きた患者から手術的に脳の病変部が摘出された「生検脳」が含まれる。
【００５８】
さらに、標本ＳＰの採取においては、解剖時の脳や臓器の断片写真等を撮影する場合があるが、このような断片写真等を、本発明に係る標本管理システムによって標本ＳＰと共に管理すれば、病理診断や研究において非常に有用である。
【００５９】
図１に戻って、送信部２０は、本実施形態では、標本ＳＰに付与された、２次元バーコードからなる標本データＳＤと、保管部１８に付与された、２次元バーコードからなる識別番号ＩＤとを読み取り可能な２次元バーコードリーダーである携帯端末によって構成され、この携帯端末は、取得した標本データＳＤおよび識別情報ＩＤを光通信で外部に送信可能である。このように、送信部２０が、標本データＳＤおよび識別番号ＩＤを光通信で保管場所記録部２２に送信可能に構成されていれば、通信線を敷設する手間等が不要となり、標本管理システム１０の導入が容易となる。
【００６０】
なお、本発明に係る「送信部」は標本ＳＰに付与された標本データＳＤと保管部１８に付与された識別番号ＩＤとを取得して外部に送信可能なものであればよく、例えば、標本データＳＤおよび識別情報ＩＤを無線通信または有線通信で外部に送信可能なものでもよい。
【００６１】
保管場所記録部２２は、送信部２０によって送信された標本データＳＤおよび識別番号ＩＤを光通信ユニット２６を介して受信し、標本データＳＤに基づいて、標本情報記憶部１４に記憶されている標本情報ＳＩを特定する。そして、この標本情報ＳＩと、取得した識別番号ＩＤとを関連付けして標本情報記憶部１４に記録する。
【００６２】
なお、本発明に係る「保管場所記録部」は送信部２０によって送信された標本データＳＤおよび識別番号ＩＤを受信し、標本情報ＳＩと識別番号ＩＤを関連付けして標本情報記憶部１４に記録可能なものでさえあれば良く、本実施形態に限定されるものではない。例えば、本実施形態では、送信部２０から送信されるデータを光通信ユニット２６を用いて光通信で受信するように構成したが、送信部から送信されるデータをイーサネット（登録商標）、トークンリング、ＦＤＤＩ、ＵＳＢ、ＩＥＥＥ１３９４等の規格による有線通信や、Ｂｌｕｅｔｏｏｔｈ（ブルートゥース）、ＩＥＥＥ８０２.１１、ＨｏｍｅＲＦ、ＩｒＤＡ等の規格による無線通信で受信するように構成してもよい。
【００６３】
保管場所特定部２４は、標本情報記憶部１４に記憶された標本情報ＳＩに基づいて保管部１８の識別番号ＩＤを検索し、標本ＳＰが保管されている保管部１８の標本棚１８Ａを特定する。なお、本発明に係る「保管場所特定部」は標本情報記憶部１４に記憶された標本情報ＳＩに基づいて保管部１８の識別番号ＩＤを検索し、標本ＳＰが保管されている保管部１８の標本棚１８Ａを特定可能なものであれば良く、本実施形態に限定されるものではない。
【００６４】
次に、本実施形態に係る標本管理システム１０の作用について説明する。
【００６５】
図３は標本管理システム１０で用いられるソフトウエアのメインメニュー画面の一例を示したものである。
【００６６】
標本管理システム１０では、このソフトウエアを用いて、各種標本に関する標本情報の入力や、標本ラベルの作成、標本情報の検索等を行うことが可能となっている。
【００６７】
標本管理システム１０を使用する使用者は、まず、メインメニュー画面に表示される「標本ラベル情報登録」、「標本ラベル情報照会」、「マスタメンテナンス」のアイコンの中から、いずれか１つを選択する。
【００６８】
例えば、メインメニュー画面において「標本ラベル情報登録」のアイコンが選択された場合には、図４に示されるような、標本ラベルの種類を選択するための標本ラベル選択画面が表示される。
【００６９】
使用者は、この標本ラベル選択画面に表示される「解剖例」、「手術」、「動物」のアイコンの中から、いずれか１つを選択する。
【００７０】
例えば、標本ラベル選択画面において「解剖例」のアイコンが選択された場合には、図５に示されるような、解剖例用の標本に関する標本情報を登録するための解剖例標本登録画面が表示される。また、標本ラベル選択画面において「手術」のアイコンが選択された場合には、図６に示されるような、手術用の標本に関する標本情報を登録するための手術標本登録画面が表示される。さらに、標本ラベル選択画面において「動物」のアイコンが選択された場合には、図７に示されるような、動物用の標本に関する標本情報を登録するための動物標本登録画面が表示される。
【００７１】
図５に示される解剖例標本登録画面では、標本情報入力部１２を用いて、症例番号、「脱灰」の文字の印刷の有無、脳の部位（例えば、脳幹や前頭葉等）、内臓器の部位（例えば、心臓や胃等）、染色名（一般染色または免疫染色）、備考等の、解剖例の標本に関する標本情報ＳＩが入力可能となっている。なお、標本情報ＳＩの入力が終了し、「登録」のアイコンが選択された場合には、標本番号に１〜９９９９９９９９９までのユニークな数値が自動的に割り当てられると共に、入力された標本情報ＳＩが標本情報記憶部１４に記憶される。また、「スライドラベル印刷」や「ブロックラベル印刷」のアイコンが選択された場合には、入力された標本情報ＳＩの一部または全てが２次元バーコードデータに変換された後、標本データ出力部１６によって解剖例用の標本ラベルが印刷される。
【００７２】
図６に示される手術標本登録画面では、標本情報入力部１２を用いて、検体番号、「脱灰」の文字の印刷の有無、染色名（一般染色または免疫染色）、処理方法、希釈倍率、日付、備考等の、手術用の標本に関する標本情報ＳＩが入力可能となっている。なお、標本番号の数値の割り当て方法や、「スライドラベル印刷」および「ブロックラベル印刷」のアイコンの機能については、上述の解剖例標本登録画面と同一である。また、図７に示される動物標本登録画面は、この手術標本登録画面と同一の構成であるため、その説明は省略する。
【００７３】
また、送信部２０から標本データＳＤおよび識別番号ＩＤを受信した場合には、保管場所記録部２２が、受信した標本データＳＤに基づいて、標本情報記憶部１４に記憶されている標本情報ＳＩを特定すると共に、この標本情報ＳＩと、取得した識別番号ＩＤとを関連付けして標本情報記憶部１４に記録する。
【００７４】
図３に戻って、メインメニュー画面において「標本ラベル情報照会」のアイコンが選択された場合には、図８に示されるような、標本情報を検索するための標本ラベル情報検索画面が表示される。
【００７５】
使用者は、この標本ラベル情報検索画面を用いて、解剖例、手術、および動物の標本に関する標本情報ＳＩを検索することができる。例えば、標本番号を入力した後、「検索」のアイコンを選択することによって、図９に示されるような標本ラベル情報検索結果画面が表示され、標本番号から症例／検体番号、部位、染色名等の標本情報を取得することができる。また、図示はしないが、「検索」のアイコンが選択された場合、上述の保管場所特定部２４は、標本情報記憶部１４に記憶された標本情報ＳＩに基づいて保管部１８の識別番号ＩＤを検索し、標本ＳＰが保管されている保管部１８の標本棚１８Ａを特定して、標本ラベル情報検索画面に標本棚１８Ａの名称や番号を表示する。これにより、標本管理システム１０の利用者は、標本番号や病名、症例等から標本ＳＰの保管場所を簡易かつ迅速に特定することができる。
【００７６】
なお、保管場所特定部２４が、病理診断を目的とした利用の場合には個人情報に基づく検索が可能に構成され、病理診断を目的としない利用の場合には個人情報に基づく検索が不可能に構成されていれば（例えば、パスワードの入力があった場合のみ個人情報に基づく検索が可能とすれば）、病理診断の場合には、患者の氏名や年齢等、治療に必要な個人情報を取得することができる一方で、病理診断以外の目的で患者の個人情報を取得するような不正行為を未然に防止することが可能となる。
【００７７】
なお、メインメニュー画面における「マスタメンテナンス」では、標本の部位、染色名、処理方法、希釈方法等のマスタデータの登録、追加、削除等が可能となっている。
【００７８】
以上説明したように、本実施形態に係る標本管理システム１０は、標本に関する標本情報ＳＩを入力可能な標本情報入力部１２と、この標本情報入力部１２によって入力された標本情報ＳＩを記憶可能な標本情報記憶部１４と、この標本情報記憶部１４に記憶された標本情報ＳＩの少なくとも一部を標本データＳＤとして出力可能な標本データ出力部１６と、この標本データ出力部１６によって出力された標本データＳＤが付与される標本ＳＰを保管する保管部１８と、標本ＳＰに付与された標本データＳＤと保管部１８に付与された識別番号ＩＤとを取得して外部に送信可能な送信部２０と、この送信部２０によって送信された標本データＳＤおよび識別番号ＩＤを受信し、標本情報ＳＩと識別番号ＩＤを関連付けして標本情報記憶部１４に記録する保管場所記録部２２と、標本情報記憶部１４に記憶された標本情報ＳＩに基づいて保管部１８の識別番号ＩＤを検索し、標本ＳＰが保管されている保管部１８を特定する保管場所特定部２４と、を有して構成されているため、標本の保存場所を簡易かつ迅速に特定することができる。また、パラフィンブロック、光顕標本、電顕用ブロック、新鮮凍結生標本等の多種多様で膨大な数の標本を容易に管理することができる。
【００７９】
また、標本ＳＰに付与される標本データＳＤは、２次元バーコードデータ、または、ＩＣタグに記録された電子データであるため、標本データを簡易かつ迅速に読み取ることができ、ＩＣタグの場合には、さらに標本データの読み書きを非接触で行うことができる。
【００８０】
さらに、標本情報ＳＩには、少なくとも、標本ＳＰを採取した生物の病名や症状等の疾病情報が含まれ、保管場所特定部２４が、生物の疾病情報に基づいて保管部１８を特定可能に構成されているため、例えば、病理診断や研究において過去の症例との比較を行う必要がある場合に、アルツハイマー病や多発性硬化症等の疾病情報に関連する標本を容易に特定することができる。
【００８１】
本発明による標本管理システムおよび標本管理方法は、上記各手順を実行するための専用のハードウエア回路によっても、また、上記各手順を記述したプログラムをＣＰＵが実行することによっても実現することができる。後者により本発明を実現する場合、標本管理システムを動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、標本管理システムの一機能としてその装置のソフトウエアに組み込んでもよい。
【産業上の利用可能性】
【００８２】
本発明に係る標本は、生物の各種標本として用いることができるが、特に脳標本として好適である。
【図面の簡単な説明】
【００８３】
【図１】本実施形態に係る標本を管理するための標本管理システムの主要な構成を示す概略構成図である。
【図２】同標本管理システムで管理される標本の一例を示した図である。
【図３】同標本管理システムで用いられるソフトウエアのメインメニュー画面の一例を示したものである。
【図４】同標本管理システムにおける標本ラベル選択画面の一例を示したものである。
【図５】同標本管理システムにおける解剖例標本登録画面の一例を示したものである。
【図６】同標本管理システムにおける手術標本登録画面の一例を示したものである。
【図７】同標本管理システムにおける動物標本登録画面の一例を示したものである。
【図８】同標本管理システムにおける標本ラベル情報検索画面の一例を示したものである。
【図９】同標本管理システムにおける標本ラベル情報検索結果画面の一例を示したものである。
【符号の説明】
【００８４】
１０  標本管理システム
１２  標本情報入力部
１４  標本情報記憶部
１６  標本データ出力部
１８  保管部
２０  送信部
２２  保管場所記録部
２４  保管場所特定部
ＩＤ  識別番号
ＳＰ  標本
ＳＤ  標本データ
ＳＩ  標本情報